(57)【要約】【課題】  回路基板が擦過損耗して有害なガラス繊維粉体を発生しないようにすること、厚さの異なる回路基板に変更する場合に電池マイナス端子の変更を要しないようにすること。【解決手段】  弾性薄板からなる電池マイナス端子３０の両端に形成した舌状係止ばね部３１を回路基板２０の係止穴２１に挿入し、舌状係止ばね部３１が係止穴２１の内壁に当接して弾性変形して生じる接触圧によって、マイナス端子３１を回路基板２に固定するようにした。舌状係止ばね部３１は、一対の左右対称の舌片で構成されており、各舌片は水平延伸部３１ｂと係止穴挿入部３１ａとを有する。係止穴挿入部３１ａには係止穴２１の内壁に当接する半円形状突起が形成されている。【選択図】  図２
2006226925.tif 000002
【特許請求の範囲】
【請求項１】
弾性薄板から成る電池マイナス端子の両端と回路基板に穿設した係止穴とを利用して電池マイナス端子を回路基板に直接固定する携帯型電子機器の電池接続構造において、
前記電池マイナス端子の両端に形成した舌状係止ばね部を前記係止穴に挿入し、前記舌状係止ばね部が前記係止穴の内壁に当接し弾性変形して生じる接触圧によって前記マイナス端子が前記回路基板に固定されることを特徴とする携帯型電子機器。
【請求項２】
前記舌状係止ばね部は一対の左右対称の舌片で構成されたものであって、前記舌片はそれぞれ水平延伸部と係止穴挿入部とを有することを特徴とする請求項１の携帯型電子機器。
【請求項３】
前記係止穴挿入部には前記係止穴の内壁と当接する突起が形成されていることを特徴とする請求項２の携帯型電子機器。
【請求項４】
前記突起は半円形突起又は三角形状突起であることを特徴とする請求項３の携帯型電子機器。
【請求項５】
前記舌状係止ばね部は略矩形の舌片で構成されたものであって、水平延伸部と係止穴挿入部とを有することを特徴とする請求項１の携帯型電子機器。
【請求項６】
前記係止穴挿入部は断面略Ｖ字型舌片であることを特徴とする請求項５の携帯型電子機器。
【請求項７】
枠の電池受け面の裏面に形成した押さえ部と前記回路基板とで前記電池マイナス端子の両端を挟み付けたことを特徴とする請求項１の携帯型電子機器。
【発明の詳細な説明】
【技術分野】
【０００１】
本発明は、腕携帯型電子時計や心拍計測装置の心拍送信機などの携帯型電子機器の電池接続構造の改良に関する。
【背景技術】
【０００２】
特開平７−１６９４５１号公報（特許文献１）には、電池リード端子を地板の電池収納部の近傍を支点として一端は電池と接触部を持ち、他端を回路基板と接触部を持つ揺動可能な構造とし、電池が収納部に収納されると電池リード端子が回路基板と押圧接触されるようにした電子時計の電池接続構造が開示されている。この従来の電池接続構造によれば、電池リード端子の固定ネジが不要であるという効果がある。しかしながら、この第１の従来の電池接続構造は、揺動可能な構造をとれる形状の電池リード端子にしか適用できないという問題がある。
【０００３】
特開平７−２１８６５９号公報（特許文献２）の図５には、電極板の両端部を回路基板に穿設した係止穴に圧入して係止させることにより、電極板を回路基板に直接固定する電池接続構造が開示されている。この第２の従来の電池接続構造は、要するに、弾性薄板バネから成る電池マイナス端子の両端部と回路基板に穿設した係止穴とを利用して電池マイナス端子を回路基板に直接固定する携帯型電子時計の電池接続構造において、前記電池マイナス端子の両端部は前記係止穴に直接圧入される圧入部であることを特徴とするものである。しかしながら、電池マイナス端子の両端部を回路基板自体に直接圧入して固定するものである、圧入代を十分に確保することが難しいという欠点があり、しかも上記電池マイナス端子の両端部が通常ガラスエポキシ材からなる回路基板に接しているため、製品の振動や衝撃等により回路基板が擦過損耗して有害なガラス繊維粉体を発生し易いという問題がある。
【０００４】
そこで、これらの問題を解決するために、特許文献２の図１〜図３に示す電池接続構造が開発された。この第３の従来の電池接続構造は、ハウジングに回路基板を載置し、この回路基板に基板コンタクトバネと電池と接する接点バネとを備えた電池マイナス端子を載置するとともに、電池マイナス端子の少なくとも一端部に係止部を形成し、この係止部をハウジングの止め部に係止させることにより電池マイナス端子をハウジングに固定するようにした電池接続構造である。
【０００５】
この第３の従来の電池接続構造は、簡単な構造である。しかしながら、この第３の従来の電池接続構造を採用したデジタル式腕時計は、以下のような問題を有する。即ち、電極板の係止部をハウジングの止め部に係止させるための係止穴をハウジングに成型しなければならないので余分のスペースがハウジングに必要であること、及び前記係止穴の内側にコネクタを配置し液晶パネルをその内側にレイアウトして固定する構成であることから、製品の大きさに対する製品見切り（表示面積）が非常に小さくなる。また、電池面側の回路基板のマイナス電極配線領域を非常に大きくとる必要があり、配線上不利なレイアウトとなる。配線が不利なことによって多層基板へ基板を変更する可能性が高くなり、そうした場合には配線が複雑になる上にコスト高にもなる。電極配線領域を小さくした場合には、回路基板配線と電極板がショートしないような絶縁シートなどが必要になる。配線を有利にしようと電極板を内側にレイアウトしようとすると、製品見切りが非常に小さくなる。更に、ハウジングに係止用の係止穴を設けると、ハウジングの形状が複雑になると共に、電極板の係止部によって回路基板を挟み込んでハウジングの係止穴内の止め部に引っ掛けて固定するため、電極板の係止部の寸法管理が難しい。コネクタの反発力により組み込みも容易ではない。
【０００６】
更に、上述の第２の携帯型電子機器の問題を解決するために、第４の電池接続構造が開発され、市販のデジタル時計に採用されている。この従来の第４の電池接続構造は、図５に示す如く、回路基板２０に結合用の係止穴２１を設け、マイナス端子となる電極板３０の両端に鉤状引っかけ部３３ａを設け、係止穴２１に鉤状引っかけ部３３ａを挿入してその頭部を貫通させ、回路基板２０の裏側に前記頭部の顎を引っかけて回路基板２０にマイナス端子３０を固定する電池接続構造である。
【０００７】
この第４の従来の携帯型電子機器は、要するに、弾性薄板バネから成る電池マイナス端子３０の両端部と回路基板２０に穿設した係止穴２１とを利用して電池マイナス端子３０を回路基板２０に直接固定する携帯型電子機器の電池接続構造において、電池マイナス端子３０の両端部に一対の対称的な鉤状引っかけ部３３ａを形成したことを特徴とするものである。鉤状引っかけ部３３ａは、係止穴２１の長さと同じ長さの垂直部と係止穴２１を貫通した位置で前記垂直部の先端に形成された略三角形の頭部とを備えたものであるので、上述の第２と第３の電池接続構造の問題も殆ど解決することができる。
【０００８】
しかしながら、この第４の従来の携帯型電子機器においては、鉤状引っかけ部３３ａは形状が複雑であるという問題がある。また、回路基板２０の厚さに対応して鉤状引っかけ部３３ａの垂直部の長さが決まってしまうため、厚さの異なる回路基板２０に変更して別製品を起こそうとした場合、マイナス端子３０となる電極板も変更する必要がある。更に、回路基板２０の裏側に鉤状引っかけ部３３ａの略三角形の頭部が出っ張ることになるので、この頭部の出っ張り量の分だけ、製品厚みが増すという問題もある。
【特許文献１】特開平７−１６９４５１号公報
【特許文献２】特開平７−２１８６５９号公報
【発明の開示】
【発明が解決しようとする課題】
【０００９】
本発明が解決しようとする第１の課題は、弾性薄板から成る電池マイナス端子の両端部と回路基板に穿設した係止穴とを利用して電池マイナス端子を回路基板に直接固定する携帯型電子機器の電池接続構造において、製品の振動や衝撃等により回路基板が擦過損耗して有害なガラス繊維粉体を発生しないようにすること、及び、厚さの異なる回路基板に変更する場合に電池マイナス端子の変更を要しないようにすることである。
【００１０】
本発明が解決しようとする第２の課題は、弾性薄板から成る電池マイナス端子の両端部と回路基板に穿設した係止穴とを利用して電池マイナス端子を回路基板に直接固定する携帯型電子機器であって、簡単な構造で且つ低コストの携帯型電子機器を提供することである。
【課題を解決するための手段】
【００１１】
上述の第１および第２の課題を解決するために、弾性薄板から成る電池マイナス端子の両端と回路基板に穿設した係止穴とを利用して電池マイナス端子を回路基板に直接固定する携帯型電子機器の電池接続構造において、前記電池マイナス端子の両端に形成した舌状係止ばね部を前記係止穴に挿入し、前記舌状係止ばね部が前記係止穴の内壁に当接して弾性変形して生じる接触圧によって前記マイナス端子が前記回路基板に固定されるようにした。
【発明の効果】
【００１２】
本発明により、弾性薄板から成る電池マイナス端子の両端部と回路基板に穿設した係止穴とを利用して電池マイナス端子を回路基板に直接固定する携帯型電子機器の電池接続構造であって、簡単な構造で且つ低コストの電池接続構造が提供された。また、本発明により、製品の振動や衝撃等により回路基板が擦過損耗して有害なガラス繊維粉体を発生しないようにすることが可能になった。更に、携帯型電子機器において、厚さの異なる回路基板に変更する場合にも、電池マイナス端子を変更する必要がなくなった。
【発明を実施するための最良の形態】
【００１３】
本発明に係る携帯型電子機器の電池の接続構造は、弾性薄板から成る電池マイナス端子の両端と回路基板に穿設した係止穴とを利用して電池マイナス端子を回路基板に直接固定する携帯型電子機器の電池接続構造において、前記電池マイナス端子の両端に形成した舌状係止ばね部を前記係止穴に挿入し、前記舌状係止ばね部が前記係止穴の内壁に当接して弾性変形して生じる接触圧によって前記マイナス端子が前記回路基板に固定されるようにしたものであって、前記舌状係止ばね部は一対の同一形状の舌片で構成されていることを特徴とするものである。
【実施例１】
【００１４】
本発明の実施例１は、図１の平面図、図２の断面図に示す如く、弾性薄板から成る電池マイナス端子３０の両端と回路基板２０に穿設した円形の係止穴２１とを利用して電池マイナス端子３０を回路基板２０に直接固定する携帯型電子時計の電池接続構造において、電池マイナス端子３０の両端に形成した先割れ舌状係止ばね部３１を係止穴２１に挿入し、先割れ舌状係止ばね部３１が係止穴２１の内壁に当接して弾性変形して生じる接触圧によってマイナス端子３０が回路基板２０に固定されるようにしたものである。電池４０は携帯型電子時計の枠１０の電池収納凹部１１に収納され、マイナス端子３０は電池収納凹部１１の底面と回路基板２０との間に配置されている。電池収納凹部１１の底面には中央部に窓１４が開けられており、窓１４の周囲の底面が電池受け面１２となっている。
【００１５】
実施例１におけるマイナス端子３０は、一対の電池当接ばね部３４を有する略矩形の弾性電極板であり、その両端に先割れ舌状係止ばね部３１が形成されている。先割れ舌状係止ばね部３１は、一対の同一形状の舌片で構成されている。そして、各舌片は水平延伸部３１ｂと係止穴挿入部３１ａとを有する一対の左右対称の舌片である。
【００１６】
係止穴挿入部３１ａには、回路基板２０に穿設された係止穴２１の内壁に当接する突起が形成されている。前記突起は、図２に示す如き半円形状突起、又は図３に示す如き三角形状突起である。
【００１７】
携帯型電子時計のムーブメントの組立てにおいて、マイナス端子３０を回路基板２０の所定の位置に配置し、マイナス端子３０の両端に形成されている先割れ舌状係止ばね部３１の係止穴挿入部３１ａを回路基板２０の係止穴２１に挿入すると、マイナス端子３０は回路基板２０に簡単に且つ確実に固定される。即ち、舌状係止ばね部３１は先割れ舌状係止ばね部であり、その左右対称の一対の係止穴挿入部３１ａを係止穴２１に挿入すると、舌状係止ばね部３１の係止穴挿入部３１ａがその内壁に当接し弾性変形して生じるからである。この接触圧によって、係止穴挿入部３１ａの半円形状突起又は三角形状突起が係止穴２１の内壁に食い込み、マイナス端子３０の回路基板２０への固定を更に強固にする。
【００１８】
ところで、ムーブメントに組み込む前のマイナス端子３０の係止穴挿入部３１ａは、水平延伸部３１ｂと同じくマイナス端子本体と同一平面にある。上述の如くムーブメントに組み込むと、マイナス端子３０の係止穴挿入部３１ａは水平延伸部３１ｂから略垂直に曲げられる。ところが、マイナス端子３０の両端は先割れ舌状係止ばね部３１である。このため、マイナス端子３０の先割れ舌状係止ばね部３１を回路基板２０の係止穴２１に挿入しただけでは、係止穴挿入部３１ａと水平延伸部３１ｂとの境界部が多少ではあるが浮き上がってくる。そこで、枠１０の電池受け面１２を回路基板２０の係止穴２１を覆う位置まで伸ばして形成し、電池受け面１２の裏面に形成した押さえ部１３と回路基板２０とで電池マイナス端子３０の両端を挟み付けるようにした。これによって、マイナス端子３０が浮いてくるのを防止した。
【００１９】
上述の如く、実施例１の携帯型電子機器の電池接続構造は、先割れ舌状係止ばね部３１が弾性変形して生じる係止穴挿入部３１ａの係止穴挿入部３１ａと円形の係止穴２１の内壁との接触圧によって、マイナス端子３０を回路基板２０に固定する簡単な構造で且つ低コストの電池接続構造である。従って、係止穴挿入部３１ａの先端部が係止穴２１を貫通して突出することはない。また、製品の振動や衝撃等により回路基板が擦過損耗して有害なガラス繊維粉体を発生することもない。更に、携帯型電子機器において、厚さの異なる回路基板に変更する場合にも、電池マイナス端子を変更する必要がなくなった。
【実施例２】
【００２０】
本発明の実施例２は、図４の部分平面図（Ａ）と部分断面図（Ｂ）に示す如く、弾性薄板から成る電池マイナス端子３０の両端と回路基板２０に穿設した楕円形の係止穴２２とを利用して電池マイナス端子３０を回路基板２０に直接固定する携帯型電子時計の電池接続構造において、電池マイナス端子３０の両端に形成した舌状係止ばね部３２を係止穴２１に挿入し、舌状係止ばね部３２が係止穴２２の内壁に当接して弾性変形して生じる接触圧によってマイナス端子３０が回路基板２０に固定されるようにしたものである。電池４０は携帯型電子時計の枠１０の電池収納凹部１１に収納され、マイナス端子３０は電池収納凹部１１の底面と回路基板２０との間に配置されている。電池収納凹部１１の底面には中央部に窓１４が開けられており、窓１４の周囲の底面が電池受け面１２となっている。
【００２１】
実施例２におけるマイナス端子３０は、一対の電池当接ばね部３４を有する略矩形の弾性電極板であり、その両端に水平延伸部３２ｂと係止穴挿入部３２ａとを有する短冊形舌状係止ばね部３２が形成されている。そして、係止穴挿入部３２ａは断面略Ｖ字型舌片として形成されている。
【００２２】
携帯型電子時計のムーブメントの組立てにおいて、マイナス端子３０を回路基板２０の所定の位置に配置し、マイナス端子３０の両端に形成されている短冊形舌状係止ばね部３２の係止穴挿入部３２ａを回路基板２０の係止穴２２に挿入すると、マイナス端子３０は回路基板２０に簡単に且つ確実に固定される。即ち、短冊形舌状係止ばね部３１の係止穴挿入部３２ａを回路基板２０の係止穴２２に挿入すると、係止穴挿入部３２ａの断面略Ｖ字型舌片の突出部が係止穴２２の内壁に当接し、短冊形舌状係止ばね部３１は弾性変形して接触圧が生じるからである。
【００２３】
ところで、ムーブメントに組み込む前のマイナス端子３０の係止穴挿入部３２ａは、水平延伸部３２ｂと同じくマイナス端子本体と同一平面にある。上述の如くムーブメントに組み込むと、マイナス端子３０の係止穴挿入部３２ａは水平延伸部３２ｂから略垂直に曲げられる。ところが、マイナス端子３０の両端は短冊形舌状係止ばね部３２である。このため、マイナス端子３０の短冊形舌状係止ばね部３２を回路基板２０の係止穴２２に挿入しただけでは、係止穴挿入部３２ａと水平延伸部３２ｂとの境界部が多少ではあるが浮き上がってくる。そこで、枠１０の電池受け面１２を回路基板２０の係止穴２１を覆う位置まで伸ばして形成し、電池受け面１２の裏面に形成した押さえ部１３と回路基板２０とで電池マイナス端子３０の両端を挟み付けるようにした。これによって、マイナス端子３０が浮いてくるのを防止した。
【００２４】
上述の如く、実施例２の携帯型電子機器の電池接続構造は、短冊形舌状係止ばね部３２が弾性変形して生じる係止穴挿入部３２ａと楕円形の係止穴２２の内壁との接触圧によって、マイナス端子３０を回路基板２０に固定する更に簡単な構造で且つ低コストの電池接続構造である。従って、係止穴挿入部３２ａの先端部が係止穴２２を貫通して突出することは殆どない。製品の振動や衝撃等により回路基板が擦過損耗して有害なガラス繊維粉体を発生することもない。更に、携帯型電子機器において、厚さの異なる回路基板に変更する場合にも、電池マイナス端子を変更する必要がなくなった。
【図面の簡単な説明】
【００２５】
【図１】本発明の実施例１の電池接続構造の平面図である。
【図２】本発明の実施例１の電池接続構造の部分断面図である。但し左側はマイナス端子３０の長手方向の中心線に沿って切断した部分断面図であり、右側はマイナス端子３０の端部において長手方向の中心線に対して直角に切断した部分断面図である。
【図３】本発明の実施例１の電池接続構造の変形例の部分断面図である。
【図４】本発明の実施例２の部分平面図（Ａ）と部分断面図（Ｂ）である。但し部分断面図において、左側はマイナス端子３０の長手方向の中心線に沿って切断した部分断面図であり、右側はマイナス端子３０の端部において長手方向の中心線に対して直角に切断した部分断面図である。
【図５】従来の電池接続構造の断面図である。
【符号の説明】
【００２６】
１０  枠
１１  電池収納凹部
１２  電池受け面
１３  押さえ部
１４  窓部
２０  回路基板
２１  円形の係止穴
２２  楕円形の係止穴
３０  マイナス端子
３１  先割れ舌状係止ばね部
３１ａ  係止穴挿入部
３１ｂ  水平延伸部
３２  舌状係止ばね部
３２ａ  係止穴挿入部
３２ｂ  水平延伸部
３３ａ  鉤状引っかけ部
３４  電池当接ばね部
４０  電池
【図１】
2006226925.tif 000003
【図２】
2006226925.tif 000004
【図３】
2006226925.tif 000005
【図４】
2006226925.tif 000006
【図５】
2006226925.tif 000007